(57)【要約】【課題】システム改造に要するコストが安価なデータ処理システム及び中継装置を提供すること。【解決手段】磁気カード５０のデータを処理する本体装置１０２を備えるデータ処理システム１において、非接触カード６０のデータを読み取る非接触カード読取機１１１と、非接触カード読取機１１１と本体装置１０２との間に配置され、非接触カード読取機１１１からデータ信号を入力し、そのデータ信号に同期信号を付加して本体装置１０２に出力する中継装置１０と、を設ける。【選択図】図１
2006318273.tif 000002
【特許請求の範囲】
【請求項１】
磁気カードのデータを処理する本体装置を備えるデータ処理システムにおいて、
非接触カードのデータを読み取る非接触カード読取機と、
前記非接触カード読取機と前記本体装置との間に配置され、前記非接触カード読取機からデータ信号を入力し、そのデータ信号に同期信号を付加して前記本体装置に出力する中継装置と、を有することを特徴とするデータ処理システム。
【請求項２】
請求項１に記載するデータ処理システムにおいて、
前記中継装置が、磁気カードのデータを読み取る磁気カード読取機に接続する第１入力手段と、前記非接触カード読取機に接続する第２入力手段と、前記本体装置に接続する出力手段とを有することを特徴とするデータ処理システム。
【請求項３】
請求項１又は請求項２に記載するデータ処理システムにおいて、
前記中継装置は、前記非接触カード読取機から入力したデータ信号を解析して所定のデータ信号を作成するデータ解析手段を有することを特徴とするデータ処理システム。
【請求項４】
磁気カードのデータを読み取る磁気カード読取機に接続する第１入力手段と、
非接触カードのデータを読み取る非接触カード読取機に接続する第２入力手段と、
前記第２入力手段に入力したデータ信号に同期信号を付加してデータ変換を行うデータ変換手段と、
データを処理する本体装置に接続し、前記第１入力手段が入力したデータ信号又は前記データ変換手段が変換したデータ変換信号を前記本体装置に出力する出力手段とを有することを特徴とする中継装置。
【発明の詳細な説明】
【技術分野】
【０００１】
本発明は、非接触カードに記憶されたデータを処理するデータ処理システム及び中継装置に関する。
【背景技術】
【０００２】
ＩＣカードは、磁気カードと比べて、カード読取機と非接触的にデータ授受を行うことができるため取扱性がよい、記憶容量が大きい、セキュリティ機能が高いなどの特徴を有し、磁気カードに変わるものとして各分野で急速に普及しつつある。例えば、銀行では、偽造や不正利用のリスクを回避するため、キャッシュカードのＩＣ化が進められている。磁気カードとＩＣカードの過渡期には、磁気カードとＩＣカードの利用者が混在する。そのため、従来、銀行のキャッシュコーナには、図６に示すように、磁気カード専用の自動支払機１００と、ＩＣカード専用の自動支払機１１０とが独立して設けられ、磁気カード５０のデータとＩＣカード６０のデータとを別々に処理していた。このように磁気カード専用の自動支払機１００とＩＣカード専用の自動支払機１１０とを別個に設けると、機械の設置スペースが大きくなったり、メンテナンスコストやランニングコストがかかる不具合が生じる。また、例えば、ＩＣカード専用の自動支払機１１０が空いていても、後続の利用者が磁気カード５０を所有する場合には、その利用者は自動支払機１００が空くまで待っていなければならず、利用者からの利便性が悪い。従って、１台の自動支払機で磁気カード５０のデータとＩＣカード６０のデータを両方処理できるシステムの構築が望まれていた。
【０００３】
これに対して、特許文献１には、自動改札機を対象にするものの、磁気カード読取機と非接触カード読取機を１個の本体装置に接続し、その本体装置が非接触カード読取機から入力したＩＣカードのデータを磁気カードのデータと同様のデータ構造に変換して処理するデータ処理システムが開示される。このデータ処理システムを自動支払機に適用した場合、図７に示すように、磁気カード読取機１０１と非接触カード読取機１１１が本体装置１２２に接続され、本体装置１２２が磁気カード５０のデータとＩＣカード６０のデータとの両方を処理するので、機械の設置スペースを狭小化し、メンテナンスコストやランニングコストを安くできる。また、利用者は自分が所有するカードの種類を問わず、空いている自動支払機１２０から使用することができ、利用者からの利便性が向上する。
【０００４】
【特許文献１】特許第２８８５９９１号明細書
【発明の開示】
【発明が解決しようとする課題】
【０００５】
しかしながら、図７に示すデータ処理システムは、本体装置１２２がＩＣカード６０のデータを磁気カード５０のデータと同様のデータ構造に変換して処理するため、システム導入時には、既存の本体装置や本体装置に格納されるプログラム等を丸ごと新規品に交換しなければならず、システム改造に伴うコストが高かった。
【０００６】
そこで、本発明は、上記問題点を解決するためになされたものであり、システム改造に要するコストが安価なデータ処理システム及び中継装置を提供することを目的とする。
【課題を解決するための手段】
【０００７】
上記目的を達成するために、本発明のデータ処理システムは以下の構成を有する。
（１）磁気カードのデータを処理する本体装置を備えるデータ処理システムにおいて、非接触カードのデータを読み取る非接触カード読取機と、前記非接触カード読取機と前記本体装置との間に配置され、前記非接触カード読取機からデータ信号を入力し、そのデータ信号に同期信号を付加して前記本体装置に出力する中継装置を有することを特徴とする。
（２）（１）に記載の発明において、前記中継装置が、磁気カードのデータを読み取る磁気カード読取機に接続する第１入力手段と、前記非接触カード読取機に接続する第２入力手段と、前記本体装置に接続する出力手段とを有することを特徴とする。
（３）（１）又は（２）に記載の発明において、前記中継装置は、前記非接触カード読取機から入力したデータ信号を解析して所定のデータ信号を作成するデータ解析手段を有することを特徴とする。
【０００８】
上記目的を達成するために、本発明の中継装置は次の構成を有する。
（４）磁気カードのデータを読み取る磁気カード読取機に接続する第１入力手段と、非接触カードのデータを読み取る非接触カード読取機に接続する第２入力手段と、前記第２入力手段に入力したデータ信号に同期信号を付加してデータ変換を行うデータ変換手段と、データを処理する本体装置に接続し、前記第１入力手段が入力したデータ信号又は前記データ変換手段が変換したデータ変換信号を前記本体装置に出力する出力手段とを有することを特徴とする。
【発明の効果】
【０００９】
上記構成を有するデータ処理システム及び中継装置の作用効果を説明する。
本発明のデータ処理システムでは、中継装置が、非接触カードのデータを読み取った非接触カード読取機からデータ信号を入力すると、そのデータ信号に同期信号を付加して本体装置に出力する。一般的に、本体装置が処理する磁気カードのデータ信号には、同期信号が付加される。そのため、非接触カードのデータは、中継装置を通過する際に磁気カードのデータと同様のデータ構造に変換され、本体装置に入力後に磁気カードのデータとして認識され、処理される。従って、本発明のデータ処理システムによれば、本体装置や本体装置に格納されるソフトウエア等が磁気カードのデータだけを処理可能なものであっても、中継装置を増設すれば、該本体装置やソフトウエア等を継続して使用することができ、システムの改造に要するコストを安価にできる。
また、本発明のデータ処理システムは、中継装置の出力手段に本体装置を接続する一方、中継装置の第１入力手段に磁気カード読取機を接続し、中継装置の第２入力手段に非接触カード読取機を接続するだけで、磁気カードと非接触カードの併用を実現でき、システムを簡単に改造できる。
また、本発明のデータ処理システムは、非接触カード読取機から入力したデータ信号を解析して、暗号の解読やデータの並び替え等を行い、所定のデータ信号を作成して本体装置に出力するので、非接触カードのデータが本体装置で確実に処理される。
【００１０】
一方、本発明の中継装置は、非接触カード読取機と本体装置との間に配設され、非接触カード読取機から入力したデータ信号に同期信号を付加して、当該データ信号を磁気カード読取機が本体装置に出力するデータ信号と同様のデータ構造に変換し、本体装置に出力するので、既存のデータ処理システムに中継装置を増設するだけで非接触カードのデータを既存の本体装置で処理することができ、システムの改造に要するコストを安価にできる。
【発明を実施するための最良の形態】
【００１１】
次に、本発明に係るデータ処理システム及び中継装置の実施形態について図面を参照して説明する。
【００１２】
図１は、データ処理システム１の概略構成図である。この実施形態のデータ処理システム１及び中継装置１０は、従来技術と同様に銀行等に設置される自動支払機に適用される。データ処理システム１は、従来技術で説明した磁気カード読取機１０１と本体装置１０２（図６参照）に非接触カード読取機１１１と中継装置１０を後付けして構成される。
【００１３】
磁気カード５０は、磁気ストライプ部５１にデータが記憶されている。磁気カード読取機１０１は、磁気ヘッド３と磁気リーダ４を備え、磁気ヘッド３に磁気カード５０を通すと、磁気リーダ４が磁気ストライプ部５１のデータを読み取るようになっている。
【００１４】
ＩＣカード（非接触カード）６０は、プラスチックにＩＣチップ６１を埋め込んで構成される。図２は、ＩＣカード６０に埋め込まれたＩＣチップ６１の構造を示す図である。図２に示すＩＣチップ６１は、アンテナ６１ｂを非接触カード読取機１１１に近づけると電流が流れ、それを電源として作動する。ＩＣチップ６１は、データの加工・演算を行う中央演算処理装置（ＣＰＵ）６１ａに、ＲＦ回路６１ｃが接続し、アンテナ６１ｂを介して非接触カード読取機１１１と非接触でデータ通信を行う。ＣＰＵ６１ａには、ＲＯＭ６１ｄ、ＲＡＭ６１ｅ、ＥＥＰＲＯＭ６１ｆが接続し、各種データやプログラムが記憶される。
【００１５】
図１に戻り、非接触カード読取機１１１は、周知のものであり、簡単に説明すると、ＩＣカード６０と通信を行うアンテナ５と、データの加工及び演算を行う中央演算処理装置（ＣＰＵ）６と、中継装置１０に接続する通信インターフェース７とを備える。ＩＣカード６０には、いくつかの規格が存在する。そのため、データ処理システム１は、使用を許容するＩＣカード６０の規格の数に応じて非接触カード読取機１１１が設置され、ＩＣカード６０の複数の規格に対応しうる。
【００１６】
一方、本体装置１０２は、入出力インターフェース（Ｉ／Ｏ）８が入力したデータを中央演算処理装置（ＣＰＵ）９で加工・演算するものである。本体装置１０２は、図示しない記憶媒体に、磁気カード５０のデータを処理するプログラムを格納する。
【００１７】
次に、本発明の特徴をなす中継装置１０について説明する。中継装置１０は、磁気カード読取機１０１、非接触カード読取機１１１、本体装置１０２の間に配設され、独立のデータ処理機能を有する。中継装置１０は、一般的なコンピュータと同様の構成を備える。簡単に説明すると、中継装置１０は、データの加工・演算を行う中央演算処理装置（ＣＰＵ）１３に入出力インターフェース（Ｉ／Ｏ）（第１入力手段）１１、通信インターフェース（第２入力手段）１２、ＲＯＭ１４、ＲＡＭ１６及び入出力インターフェース（Ｉ／Ｏ）（出力手段）１７が接続する。入出力インターフェース１１には、磁気カード読取機１０１の磁気リーダ４が接続される。通信インターフェース１２には、非接触カード読取機１１１の通信インターフェース７が接続される。入出力インターフェース１７には、本体装置１０２の入出力インターフェース８が接続される。そして、ＲＯＭ１４には、ＩＣカード６０のデータを変換する変換プログラム（データ変換手段）１５が格納される。
【００１８】
続いて、データ処理システム１の動作について説明する。
データ処理システム１は、磁気カード５０のデータとＩＣカード６０のデータを中継装置１０を介して本体装置１０２に入力し、処理する。磁気カード５０とＩＣカード６０は、基本的にデータ構造が異なるが、中継装置１０を通過する際にＩＣカード６０のデータが磁気カード５０のデータと同様のデータ構造に変換されて本体装置１０２に出力される。以下、磁気カード５０のデータとＩＣカード６０のデータの処理について各々説明する。
【００１９】
まず、磁気カード５０のデータの処理について説明する。図３は、磁気カード５０のデータの流れを説明する図である。
磁気カード５０のストライプ部５１には、「磁気データ信号」が記憶されている。「磁気データ信号」は、「同期信号部」と「データ部」とから構成される。「同期信号部」は「データ部」に必ず付加され、「データ部」のリードタイミングをとるためのものである。「同期信号部」は「同期信号」で構成される。この実施形態では、連続する「０」の後に「１」を１６個連続させて「同期信号」を構成する。「データ部」は、「基本データ信号」で構成される。「基本データ信号」は、データ処理システム１を適用する装置が特有の目的、機能を果たすために必要なデータを含む。この実施形態では、「基本データ信号」は、カード所有者が自動支払機を介して銀行と取引するために必要なデータより構成され、例えば、暗唱番号、顧客識別番号、契約内容などを含む。
【００２０】
磁気カード読取機１０１は、磁気ストライプ部５１に記憶されている「磁気データ信号」を読み取ると、磁気リーダ４から中継装置１０へ「クロック信号」と「磁気データ信号」と「カード有無信号」とを同時に送信する。「カード有無信号」は、「クロック信号」と「データ信号」を出力する前に磁気カード５０が磁気カード読取機１０１を通過し始めたことを意味する信号であり、言い換えれば、「クロック信号」と「データ信号」が有効である期間を示す信号である。「クロック信号」は、「磁気データ信号」を構成するデータを読み取るタイミングをとるためのものであり、「カード有無信号」がＯＮされると同時にＯＮするように構成される。
【００２１】
中継装置１０は、入出力インターフェース１１が磁気カード読取機１０１の磁気リーダ４から「クロック信号」、「磁気データ信号」、「カード有無信号」を入力すると、それらの信号を入出力インターフェース１７から本体装置１０２の入出力インターフェース８へそのまま転送する。
【００２２】
「クロック信号」、「磁気データ信号」、「カード有無信号」を入力した本体装置１０２は、「カード有無信号」がＯＮすると同時に、「クロック信号」をＯＮし、「クロック信号」のタイミングに合わせて「磁気データ信号」のデータを取得し始める。本体装置１０２は、「１」が１６個連続して発生し、「同期信号」を確認すると、同期がとれたと判断して、「基本データ信号」を８ビット単位で区切り、「基本データ信号」を処理する。
【００２３】
次に、ＩＣカード６０のデータの処理について説明する。図４は、図１に示す変換プログラム１５のフロー図である。図５は、非接触カードのデータの流れを説明する図である。
中継装置１０は、データ処理システム１が起動すると同時にＲＯＭ１４から変換プログラム１５を読み出して実行している。まず、図４のステップ１（以下「Ｓ１」と称す。）において、非接触カード読取機１１１がＩＣカード６０のＩＣチップ６１に記憶されている「非接触データ信号」を読み取ると、非接触カード読取機１１１の通信インターフェース７から中継装置１０の通信インターフェース１２に「非接触データ信号」（図５参照）を入力し、中継装置１０のＲＡＭ１６に格納する。そして、Ｓ２において、ＲＯＭ１４に格納されている変換プログラム１５を用いて、「非接触データ信号」の処理を開始する。
【００２４】
ＩＣカード６０は、自動支払機で使用するキャッシュカードの他、クレジットカード、社員証、パソコンへのログイン許可証、入退室管理証、収納庫の開閉管理証など多目的に使用されることがある。そのため、図４のＳ３において、Ｓ１でＲＡＭ１６に格納した「非接触データ信号」の中から「必要なデータ信号」（図５参照）を抽出する。ここで、「必要なデータ信号」は、磁気カード５０の「基本データ信号」（図３参照）と同等のものであり、データ処理システム１を適用する装置が特有の目的、機能を果たすために必要なデータを含む。この実施形態では、「必要なデータ信号」は、カード所有者が自動支払機を介して銀行と取引するために必要なデータより構成され、例えば、暗唱番号、顧客識別番号、契約内容などを含む。
【００２５】
ＩＣカード６０は、セキュリティ機能を持たせるためにデータが暗号化されていることがある。また、ＩＣカード６０は磁気カード５０とデータの持ち方が異なり、データを記憶する順序が磁気カード５０と異なることがある。このように磁気カード５０と異なる特性を有するデータを本体装置１０２にそのまま出力しても、本体装置１０２で処理できない恐れがある。そのため、図４のＳ４では、Ｓ３で抽出した「必要なデータ信号」を解析し、本体装置１０２で処理可能な「所定のデータ信号」（図５参照）を作成する。
【００２６】
そして、図４のＳ５において、Ｓ４で作成された「所定のデータ信号」の頭に「同期信号」を付加し、「データ変換信号」を作成する（図５参照）。上述したように、磁気カード５０の「磁気データ信号」は、「データ部」の前に「同期信号部」が設けられる（図３参照）。そのため、「磁気データ信号」に含まれる「同期信号」を「所定のデータ信号」の頭に付加することにより、「同期信号」が「同期信号部」を構成し、「所定のデータ信号」が「データ部」を構成することになり、「データ変換信号」が磁気カード５０の「磁気データ信号」と同様のデータ構造になる。
【００２７】
そして、図４のＳ６において、「データ変換信号」に合わせ、「クロック信号」と「カード有無信号」を作成する（図５参照）。ここで作成される「クロック信号」及び「カード有無信号」は、磁気カード読取機１０１が出力する「クロック信号」及び「カード有無信号」（図３参照）と同じものである。「カード有無信号」は、「データ変換信号」及び「クロック信号」より前にＯＮするように作成され、「クロック信号」は、「カード有無信号」がＯＮされると同時にＯＮされるように作成される。
【００２８】
そして、図４のＳ７において、「カード有無信号」、「データ変換信号」、「カード有無信号」を中継装置１０の入出力インターフェース１７から本体装置１０２の入出力インターフェース８へ同時に出力する。つまり、非接触カード読取機１１１から出力されるデータ信号は、磁気カード読取機１０１が中継装置１０を介して本体装置１０２に出力するデータ信号と同様に構成される。
【００２９】
本体装置１０２は、中継装置１０から「カード有無信号」、「データ変換信号」、「カード有無信号」を入力すると、「カード有無信号」がＯＮすると同時に、「クロック信号」をＯＮし、「クロック信号」のタイミングに合わせて「データ変換信号」のデータを取得し始める。本体装置１０２は、「データ変換信号」（図５参照）が「磁気データ信号」（図３参照）と同様のデータ構造を有するため、「データ変換信号」を「磁気データ信号」として認識し、処理する。すなわち、本体装置１０２は、「１」が１６個連続して発生し、「データ変換信号」含まれる「同期信号」を確認すると、同期がとれたと判断して、「データ変換信号」に含まれる「所定のデータ信号」を８ビット単位できれいに区切り、「所定のデータ信号」を正確かつ確実に処理する。
【００３０】
従って、この実施形態のデータ処理システム１は、システムに増設した中継装置１０が、ＩＣカード６０のデータに含まれる「所定のデータ信号」に「同期信号」を付加することにより、ＩＣカード６０のデータを磁気カード５０のデータと同様のデータ構造に変換し（図４のＳ５参照）、変換したデータを本体装置１０２に出力するので（図４のＳ７参照）、本体装置１０２がＩＣカード６０のデータを磁気カード５０のデータとして認識し、処理する。そのため、データ処理システム１によれば、本体装置１０２や本体装置１０２に格納されるソフトウエア等が磁気カード５０のデータだけを処理可能なものであっても、中継装置１０を増設するだけで、該本体装置１０２やソフトウエア等をそのまま使用することができ、システムの改造に要するコストを安価にできる。
また、この実施形態のデータ処理システム１は、中継装置１０の入出力インターフェース１７を本体装置１０２の入出力インターフェース８に接続する一方、中継装置１０の入出力インターフェース１１を磁気カード読取機１０１に接続し、中継装置１０の通信インターフェース１２を非接触カード読取機１１１に接続するだけで（図１参照）、磁気カード５０とＩＣカード６０の併用を実現することができ、システムを簡単に改造できる。
また、この実施形態のデータ処理システム１は、非接触カード読取機１１１から入力した「非接触データ信号」を解析して、暗号の解読やデータの並び替え等を行い、「所定のデータ信号」を作成して本体装置１０２に出力するので（図４のＳ４参照）、ＩＣカード６０のデータが本体装置１０２で確実に処理される。
【００３１】
一方、この実施形態のの中継装置１０は、非接触カード読取機１１１と本体装置１０２との間に配設され、非接触カード読取機１１１から入力した「非接触データ信号」に「同期信号」を付加して「データ変換信号」を作成し（図４のＳ５参照）、「データ変換信号」を磁気カード読取機１０１が本体装置１０２に出力する「磁気データ信号」と同様のデータ構造に変換し、本体装置１０２に出力するので（図４のＳ７）、既存のデータ処理システムに中継装置１０を増設するだけでＩＣカード６０のデータを既存の本体装置１０２で処理することができるようになり、システムの改造に要するコストを安価にできる。
【００３２】
尚、本発明は、上記実施の形態に限定されることなく、色々な応用が可能である。
上記実施形態では、データ処理システム１を自動支払機に使用したが、電車の自動改札機やクレジットカードの処理装置、入退室管理装置、鍵や荷物などの保管庫の開閉装置などに使用してもよい。
上記実施形態では、磁気カード５０のデータと非接触式のＩＣカード６０のデータを処理する中継装置１０について説明したが、さらに、中継装置１０が接触式のＩＣカードのデータを処理するようにしてもよい。
上記実施形態では、磁気カード読取機と非接触カード読取機１１１を併用するデータ処理システム１について説明したが、磁気カード読取機を完全に排除して非接触カード読取機１１１のみを備えるデータ処理システムとしてもよい。この場合でも、中継装置１０を増設するだけで、既存の本体装置１０２を用いてシステムを改造することができ、上記実施形態と同様のコストメリットが得られる。
上記実施形態では、シングルストライプの磁気カード５０を例に挙げて説明したが、複数の磁気ストライプ部５１を持つ磁気カードのデータを処理するデータ処理システムに中継装置１０を増設する場合には、磁気ストライプ部５１の数に対応するように、中継装置１０が本体装置１０２に出力する信号線を増やすことで、システムを拡張することができる。つまり、中継装置１０は、入出力インターフェース１７から本体装置１０２の入出力インターフェース８へ出力する信号線の数が、本体装置１０２が磁気カード読取機１０２から入力して処理可能な信号線の数と等しくすることが望ましい。
上記実施形態では、ＩＣカード６０の規格に応じて非接触カード読取機１１１を設置した。これに対して、ＩＣカード６０と通信するインターフェースを共通化し、中継装置１０内で該インターフェースに入力したデータの規格を判断し、変換プログラム１５で処理するようにしてもよい。これによれば、非接触カード読取機１１１の数を最低限にし、コストダウンや設置スペースの狭小化を図ることができる。
【図面の簡単な説明】
【００３３】
【図１】本発明のデータ処理システムの概略構成図である。
【図２】非接触カードに埋め込まれたＩＣチップの構造を示す図である。
【図３】磁気カードのデータの流れを説明する図である。
【図４】図１に示す中継装置に格納される変換プログラムのフロー図である。
【図５】非接触カードのデータの流れを説明する図である。
【図６】データ処理システムの第一従来例を示す概略構成図である。
【図７】データ処理システムの第二従来例を示す概略構成図である。
【符号の説明】
【００３４】
１  データ処理システム
１０  中継装置
１１  入出力インターフェース（第１入力手段）
１２  通信インターフェース（第２入力手段）
１５  変換プログラム（データ変換手段）
１７  入出力インターフェース（出力手段）
５０  磁気カード
６０  ＩＣカード（非接触カード）
１０１  磁気カード読取機
１０２  本体装置
１１１  非接触カード読取機
【図１】
2006318273.tif 000003
【図２】
2006318273.tif 000004
【図３】
2006318273.tif 000005
【図４】
2006318273.tif 000006
【図５】
2006318273.tif 000007
【図６】
2006318273.tif 000008
【図７】
2006318273.tif 000009